(57)【要約】      （修正有）【課題】自由に転調することが可能な平均律または純正律またはピタゴラス律を基準とした希望の調のドレミファソラシドに相当する八孔対応付きの西洋音階対応の八孔付き尺八風フルート、しの笛風フルート。【解決手段】たて笛またはよこ笛の歌口を形成し、この歌口から管尻端までの長さＬを、西洋音階の律、即ち平均律または純正律またはピタゴラス律に基づくことによって、計算式を用いて必要な所定の調に合わせて決め、同様に八カ所の音孔も西洋音階の律、即ち平均律または純正律またはピタゴラス律に基づいて所定のピッチに配置して、希望の調のドレミファソラシドに相当する八孔対応の尺八風フルート、しの笛風フルートを開発することによって自由に転調や移調することが可能。【選択図】図１
0003117417.tif 000002
【実用新案登録請求の範囲】
【請求項１】
たて笛またはよこ笛の歌口を形成し、この歌口から管尻端までの長さＬを必要な所定の調に合わせて決め、八カ所の音孔を所定のピッチに配置する笛において、歌口から管尻端までの長さＬを、Ｌ＝Ｖ／（２×Ｆ）から計算し、式中Ｖは音速、Ｆは平均律または純正律またはピタゴラス律の何れかの選定した調の周波数とし、前記計算値に準じて選定した調に調律して決定した長さＬを比１とし、たて笛では歌口のエッジを０、よこ笛では歌口の中央を０としたとき、七カ所の音孔位置の長さ比を、前記で選定した律及び調の周波数Ｆに対応した次の何れかの律の長さ比とし、平均律としては１／２、１／（２１１／１２）、１／（２９／１２）、１／（２７／１２）、１／（２５／１２）、１／（２４／１２）、１／（２２／１２）、または純正律としては１／２、８／１５、３／５、２／３、３／４、４／５、８／９、またはピタゴラス律としては１／２、１２８／２４３、１６／２７、２／３、３／４、６４／８１、８／９に準じた比に設定し、さらに歌口側に裏孔として長さ比１／２より半音高い音孔を加え、音孔として合計八カ所形成し、笛材料の直径、内径及び形状に応じて、希望の調のドレミファソラシドに調律して、各音孔の直径は最小で５ｍｍ程度、最大で１２ｍｍ程度までとした八カ所の音孔を調整かつ形成したことを特徴とする前記平均律または純正律またはピタゴラス律を基準とした西洋音階式八孔付き尺八風フルート、しの笛風フルート。
【考案の詳細な説明】
【技術分野】
【０００１】  本考案は、たて笛またはよこ笛の歌口を形成し、この歌口から管尻端までの長さＬを必要な所定の調に合わせて決め、八カ所の音孔を所定のピッチに配置する尺八風フルート、しの笛風フルートに関する。
【背景技術】
【０００２】  従来から、尺八やしの笛及びケーナなどの笛が作られていた。何れも音孔は六孔か七孔までであった。七孔の場合、七孔の位置を隔壁から小数点以下の数値で形成する横笛についての技術も公開されている（特開２００２−１３２２５３）。しかし、この笛では、隔壁から容積を決めているが、歌口からずれているから、その分誤差が生じており、音程が異なる不具合がある。真竹を素材とした管楽器についても技術が公開されているが、この管楽器も七孔である（特開平７−２３４６７０）。尺八に関して公開されている技術については五孔に指孔が形成されている（登録実用新案３０９０６３２号、３０２０５１５号）。このように、笛の長さをまず決定し、この長さに基づいて八個の音孔を決めていく方式であり、平均律または純正律またはピタゴラス律を基準とした希望の調のドレミファソラシドに相当する八孔対応の尺八風フルート、しの笛風フルートは見当たらないようである。また笛の管の長さ決定についても技術の公開はされていないようである。
【考案の開示】
【考案が解決しようとする課題】
【０００３】  従来から存在する尺八やしの笛及びケーナなどの笛が作られていたが、何れも音孔は六孔か七孔までであり、自由に転調することが困難であった。自由に転調することが可能な平均律または純正律またはピタゴラス律を基準とした希望の調のドレミファソラシドに相当する八孔対応付きの笛は見当たらないようなので、西洋音階対応の八孔付き尺八風フルート、しの笛風フルートを開発し、前述の欠点を解決しようとするものである。
【課題を解決するための手段】
【０００４】  本考案は、たて笛またはよこ笛の歌口を形成し、この歌口から管尻端までの長さＬを、西洋音階の律、即ち平均律または純正律またはピタゴラス律に基づくことによって、計算式を用いて必要な所定の調に合わせて決め、同様に八カ所の音孔も西洋音階の律、即ち平均律または純正律またはピタゴラス律に基づいて所定のピッチに配置して、希望の調のドレミファソラシドに相当する八孔対応の尺八風フルート、しの笛風フルートを開発することによって自由に転調や移調することを可能とし、前記問題点を解決している。
【考案の効果】
【０００５】  次のような効果が期待できる。歌口側に八個目の音孔を裏孔として、長さ比１／２より半音高い音孔を加えることによって、二オクターブから三オクターブの高い音が出しやすくなる。また、八孔のためテンポの早い曲への対応がスムースである。次に他の西洋音階に基づく楽器との合奏が可能である。フルートは歴史的に笛という意味があり、尺八やしの笛とは異なるが、そのような雰囲気を醸し出す意味と、吹く息を風に喩え歌口を尺八風にした「尺八風フルート」（あるいはたて笛であるから「尺八風リコーダー」と称しても良い）、歌口をしの笛風にした「しの笛風フルート」などのように、新しい名称の笛を提供できる効果もある。さらに、短調を含む六つから七つの調への転調や移調なども可能である。
【考案を実施するための最良の形態】
【０００６】  歌口から管尻端までの長さＬを、Ｌ＝Ｖ／（２×Ｆ）から計算し、式中Ｖは音速、Ｆは平均律または純正律またはピタゴラス律の何れかの選定した調の周波数とする。前記計算値に準じて調律して決定した長さＬを比１とし、たて笛では歌口のエッジを０、よこ笛では歌口の中央を０としたとき、七カ所の音孔位置の長さ比を、前記で選定した律及び調の周波数Ｆに対応した次の何れかの律の長さ比とし、平均律としては１／２、１／（２１１／１２）、１／（２９／１２）、１／（２７／１２）、１／（２５／１２）、１／（２４／１２）、１／（２２／１２）、または純正律としては１／２、８／１５、３／５、２／３、３／４、４／５、８／９、またはピタゴラス律としては１／２、１２８／２４３、１６／２７、２／３、３／４、６４／８１、８／９に準じた比に設定する。さらに歌口側に裏孔として長さ比１／２より半音高い音孔を加え、音孔として合計八カ所形成する。笛材料の直径、内径及び形状に応じて、希望の調のドレミファソラシドに調律して八カ所の音孔を調整かつ形成する。各音孔の直径は、最小で５ｍｍ程度、最大で１２ｍｍ程度までとする。
【実施例】
【０００７】  以下、添付図面に従って一実施例を説明する。
図１では、裏孔１と音孔２〜８を配置し、管尻端９と歌口１０間の長さＬを有するたて笛タイプの尺八風フルート１１を示す。歌口１０から管尻端９までの長さＬを、Ｌ＝Ｖ／（２×Ｆ）から計算し、式中Ｖは音速、Ｆは平均律（一部を図５に示す）または純正律またはピタゴラス律の何れかの選定した調の周波数とする。前記計算値に準じて調律して決定した長さＬを比１とし、たて笛では歌口のエッジを０、よこ笛では歌口の中央を０としたとき、七カ所の音孔（２〜８）位置の長さ比を、前記で選定した律及び調の周波数Ｆに対応した次の何れかの律の長さ比とし、平均律としては１／２、１／（２１１／１２）、１／（２９／１２）、１／（２７／１２）、１／（２５／１２）、１／（２４／１２）、１／（２２／１２）、または純正律としては１／２、８／１５、３／５、２／３、３／４、４／５、８／９、またはピタゴラス律としては１／２、１２８／２４３、１６／２７、２／３、３／４、６４／８１、８／９に準じた比に設定する。さらに歌口１０側に裏孔１として長さ比１／２より半音高い音孔１を加え、音孔として合計八カ所形成する。笛材料の直径、内径及び形状に応じて、希望の調のドレミファソラシドに調律して八カ所の音孔（１〜８）を調整かつ形成して尺八風フルート１１を構成させる。この尺八風フルート１１の歌口を図３に示す。音孔１を設けることによって、図６に示すように２オクターブ以上の高音を出す場合に、音孔１を少し開けることにより、高音が出しやすくなる効果がある。図６は、リコーダーと同じ運指を示す。【０００８】  図２は、図１と異なる歌口１０を有するよこ笛タイプのしの笛風フルート１２を示す。また図４は、しの笛風フルート１２の歌口部の断面を示す。栓１３の端から歌口中央までの距離Ｕは、内径ｄｉ×（１／２〜２／３）から計算し、少なくとも歌口端から栓の端までは１ｍｍ以上の距離を隔てる。【０００９】  図７と図８は、頭部管１４と音孔を有する本体１５がスライド調整できるタイプを示している。これは他の楽器と合奏する場合に合わせられるようにチューニングを行なうための機能である。図７では、突起と溝部が形成され、スライド後両者が嵌まり込み、その位置を保持できるように構成している。図８では、頭部管１４側または音孔本体１５の両方又は何れかに溝を彫り、あるいは溝無しでゴム製などの０リング１６を使用した例である。使用した０リングの弾力によって、頭部管１４と音孔を有する本体１５間の摩擦力を増し、その位置を保持しやすい構成にしている。図７と図８は、顎や息圧では動かない程度の保持力を有することが好ましい。
【産業上の利用可能性】
【０００１０】  管楽器分野に利用できる。たて笛用として尺八風フルート、よこ笛用としてしの笛風フルートを利用できる。また学校の学習指導要領において、和楽器の導入が唱われているが、リコーダーとほぼ同様な運指で両方とも演奏できるので、学校音楽教育現場において、尺八やしの笛の替わりとして大いに利用できる。西洋音階式なので、他の楽器との合奏にも利用できる。
【図面の簡単な説明】
【０００１１】
【図１】本考案の一実施例であるたて笛タイプの尺八風フルートの正面図を示す。
【図２】本考案の一実施例であるよこ笛タイプのしの笛風フルートの正面図を示す。
【図３】尺八風フルートの歌口例の正面図とその断面図を示す。
【図４】しの笛風フルートの歌口例の断面図を示す。
【図５】各調の周波数（平均律）の表を示す。
【図６】運指表と尺八風フルートの対比図を示す。
【図７】しの笛風フルートのスライド式例の断面図を示す。
【図８】スライド式しの笛風フルートの別例の断面図を示す。
【符号の説明】
【０００１２】１    音孔としての裏孔
２    音孔Ｎｏ．２
３    音孔Ｎｏ．３
４    音孔Ｎｏ．４
５    音孔Ｎｏ．５
６    音孔Ｎｏ．６
７    音孔Ｎｏ．７
８    音孔Ｎｏ．８
９    管尻端
１０  歌口
１１  尺八風フルート
１２  しの笛風フルート
１３  栓
１４  頭部管
１５  音孔を有する本体
１６  ０リング
【図１】
0003117417.tif 000003
【図２】
0003117417.tif 000004
【図３】
0003117417.tif 000005
【図４】
0003117417.tif 000006
【図５】
0003117417.tif 000007
【図６】
0003117417.tif 000008
【図７】
0003117417.tif 000009
【図８】
0003117417.tif 000010
【手続補正書】
【提出日】平成17年9月12日(2005.9.12)
【手続補正１】
【補正対象書類名】実用新案登録請求の範囲
【補正対象項目名】請求項１
【補正方法】変更
【補正の内容】
【請求項１】
たて笛またはよこ笛の歌口を形成し、この歌口から管尻端までの長さＬを必要な所定の調に合わせて決め、八カ所の音孔を所定のピッチに配置する笛において、歌口から管尻端までの長さＬを、Ｌ＝Ｖ／（２×Ｆ）から計算し、式中Ｖは音速、Ｆは平均律または純正律またはピタゴラス律の何れかの選定した調の周波数とし、前記計算値に準じて選定した調に調律して決定した長さＬを比１とし、たて笛では歌口のエッジを０、よこ笛では歌口の中央を０としたとき、七カ所の音孔位置の長さ比を、前記で選定した律及び調の周波数Ｆに対応した次の何れかの律の長さ比とし、平均律としては１／２、１／（２１１／１２）、１／（２９／１２）、１／（２７／１２）、１／（２５／１２）、１／（２４／１２）、１／（２２／１２）、または純正律としては１／２、８／１５、３／５、２／３、３／４、４／５、８／９、またはピタゴラス律としては１／２、１２８／２４３、１６／２７、２／３、３／４、６４／８１、８／９に準じた比に設定し、さらに歌口側に裏孔として長さ比１／２より半音高い音孔を加え、音孔として合計八カ所形成し、笛材料の直径、内径及び形状に応じて、希望の調のドレミファソラシドに調律して、各音孔の直径は最小で５ｍｍ程度、最大で１２ｍｍ程度までとした八カ所の音孔を調整かつ形成したことを特徴とする前記平均律または純正律またはピタゴラス律を基準とした西洋音階式八孔付き尺八風フルートまたはしの笛風フルート。